(57)【要約】【課題】従来よりも容易に電極の抵抗の差に起因する輝度むらの発生を抑止する。【解決手段】絶縁基板１の下辺に沿って互いに平行に並んで配置された複数の第１電極６と、絶縁基板１の左辺に沿って互いに平行に並んで配置された複数の第２電極２と、各第１電極６の端部から引き出され、絶縁基板１の左辺に沿って配設された複数の第１端子部６ｂに接続された複数の第１引き出し配線６ａと、各第２電極２の端部から引き出され、絶縁基板１の下辺に沿って配設された複数の第２端子部２ｂに接続された複数の第２引き出し配線２ｂとを備えたパッシブマトリクス駆動方式の無機ＥＬ表示装置であって、第１端子部６ｂは、絶縁基板１の下辺と、基準線Ｌとの間の領域に配置され、第１引き出し配線６ａは、複数回折れ曲がっている。【選択図】図１
2005309193.tif 000002
【特許請求の範囲】
【請求項１】
互いに隣接する第１の辺と第２の辺とを有する基板と、
上記基板に設けられ、上記基板の第２の辺に沿って互いに平行に並んで配置された複数の第１電極と、
上記基板において上記第１電極に表示媒体層を介して積層され、上記基板の第１の辺に沿って互いに平行に並んで配置された複数の第２電極と、
上記各第１電極の端部から引き出されると共に、上記基板の第１の辺に沿って配設された複数の第１端子部にそれぞれ接続された複数の第１引き出し配線と、
上記各第２電極の端部から引き出されると共に、上記基板の第２の辺に沿って配設された複数の第２端子部にそれぞれ接続された複数の第２引き出し配線とを備えたパッシブマトリクス駆動方式の表示装置であって、
上記第１端子部は、上記基板の第２の辺と、上記複数の第１電極のうち上記第２の辺に対して最も近い位置に設けられている第１電極との間に規定された基板上の領域に配置され、
上記第１引き出し配線は、複数回折れ曲がった状態で、上記第１電極と上記第１端子部とを接続していることを特徴とする表示装置。
【請求項２】
請求項１に記載された表示装置において、
上記第１電極、第２電極、第１引き出し配線及び第２引き出し配線は、それぞれ透明導電膜により構成されていることを特徴とする表示装置。
【請求項３】
請求項１に記載された表示装置において、
上記各第１引き出し配線は、直角に偶数回折れ曲がっていることを特徴とする表示装置。
【請求項４】
請求項１に記載された表示装置において、
上記第１電極の電気抵抗は、上記第２電極よりも低いことを特徴とする表示装置。
【請求項５】
請求項２に記載された表示装置において、
上記第１引き出し配線及び第２引き出し配線には、金属層が設けられていることを特徴とする表示装置。
【請求項６】
請求項１に記載された表示装置において、
上記第１端子部は、上記第１の辺と、上記第２の辺に隣接する第３の辺との双方に設けられ、
上記第１引き出し配線は、上記第１電極の一方の端部から引き出されて、上記各第１端子部の何れか１つに接続されていることを特徴とする表示装置。
【請求項７】
請求項１に記載された表示装置において、
上記表示媒体層は無機エレクトロルミネッセンス層であることを特徴とする表示装置。
【発明の詳細な説明】
【技術分野】
【０００１】
本発明は、表示装置に関し、特に、パッシブマトリクス駆動方式の表示装置に関するものである。
【背景技術】
【０００２】
エレクトロルミネッセンス（以下、ＥＬと略称する）表示装置は、自発光デバイスであるため、液晶表示装置のようにバックライトを必要とせず、低消費電力、軽量薄型等という特徴を有しており、近年、表示装置の一つとして注目されている。
【０００３】
このＥＬ表示装置は、パッシブマトリクス駆動方式がよく用いられ、基板上に、縦方向に延びるように設けられた複数の第１電極と、横方向に延びるように設けられた複数の第２電極と、それら第１電極及び第２電極の間に挟持された発光層（ＥＬ層）とにより構成されている。
【０００４】
上記第１電極と第２電極とは、互いに直交するように配設されているので、その各電極に信号を入力するために形成される電極端子は、基板の異なる辺に位置することになる。そして、この電極端子が形成された領域は、画像表示に直接関わらない非表示領域である。特に、上記第１電極及び第２電極が透明導電膜により構成された無機ＥＬ表示装置は、表示領域が透明（シースルー）となり、その透明な表示領域に画像を発光表示させることができる。
【０００５】
特許文献１では、パッシブマトリクス駆動方式ではなくセグメント駆動方式ではあるが、第１電極及び第２電極の電極端子を基板の１つの辺に集中させることにより、上記透明な表示領域を有効に活用する技術が開示されている。
【０００６】
この場合には、第１電極及び第２電極を基板の１つの辺まで引き出した結果、第１電極及び第２電極を構成する各電極毎にその引き出した長さが異なり、しかも、透明導電膜は比較的高い電気抵抗の材料であるので、各電極において電気抵抗の差による波形なまりが起こり、表示むら、具体的には輝度むらが発生する恐れがある。
【０００７】
そこで、この輝度むらを改善するために、特許文献２では、パッシブマトリクス駆動方式において、横方向に延びる電極の引き出し配線を左右交互に振り分けて、その引き出し配線の線幅を太くしたり、補正抵抗を挿入したりする手段により、上記各電極間の抵抗を均一にするという技術が提案されている。
【特許文献１】特開平７−２６３１４０号公報
【特許文献２】特開平１０−６３１９８号公報
【発明の開示】
【発明が解決しようとする課題】
【０００８】
しかしながら、特許文献２に記載された技術では、上記各電極間の電気抵抗が均一になるように、引き出し配線の線幅又は補正抵抗を、その配線の長さに応じて設定する必要がある。そして、引き出し配線の長さに応じて、引き出し配線の線幅又は補正抵抗を設定するにしても、引き出し配線の配線の長さは、１本毎に徐々に長く又は短くなっているので、１本の引き出し配線毎に線幅又は補正抵抗を設定することは、製造コストの上昇を招く恐れがある。
【０００９】
本発明は、かかる点に鑑みてなされたものであり、その目的とするところは、従来よりも容易に電極の抵抗の差に起因する輝度むらの発生を抑止することにある。
【課題を解決するための手段】
【００１０】
本発明は、第１電極の端部から引き出された第１端子部を基板上の所定の位置に配置すると共に、第１電極と第１端子部とを接続する第１引き出し配線を複数回折れ曲がった状態にするようにしたものである。
【００１１】
具体的に本発明の表示装置は、互いに隣接する第１の辺と第２の辺とを有する基板と、上記基板に設けられ、上記基板の第２の辺に沿って互いに平行に並んで配置された複数の第１電極と、上記基板において上記第１電極に表示媒体層を介して積層され、上記基板の第１の辺に沿って互いに平行に並んで配置された複数の第２電極と、上記各第１電極の端部から引き出されると共に、上記基板の第１の辺に沿って配設された複数の第１端子部にそれぞれ接続された複数の第１引き出し配線と、上記各第２電極の端部から引き出されると共に、上記基板の第２の辺に沿って配設された複数の第２端子部にそれぞれ接続された複数の第２引き出し配線とを備えたパッシブマトリクス駆動方式の表示装置であって、上記第１端子部が、上記基板の第２の辺と、上記複数の第１電極のうち上記第２の辺に対して最も近い位置に設けられている第１電極との間に規定された基板上の領域に配置され、上記第１引き出し配線が、複数回折れ曲がった状態で、上記第１電極と上記第１端子部とを接続していることを特徴とする。
【００１２】
上記の構成によれば、上記第１電極の端部から引き出されその末端に配設された第１端子部は、上記基板の第２の辺と、上記第２の辺に対して最も近い位置にある上記第１電極との間に規定された領域において上記第１の辺に沿って配設され、上記第１電極の端部から引き出された第１引き出し配線は、複数回折れ曲がった状態になっている。
【００１３】
例えば、上記第１引き出し配線が上記第１電極の端部から引き出され、１回折れ曲がった状態で上記基板の第２の辺に沿って配設された第１端子部に接続された場合には、その１回折れ曲がった各第１引き出し配線は、上記基板の第１の辺に近づくにつれて、徐々に長くなってしまう。
【００１４】
本発明では、上記第１電極の端部から引き出されその末端に配設された第１端子部が上記基板の第１の辺の上記所定位置に配設され、上記第１電極の端部から引き出された第１引き出し配線が複数回折れ曲がった状態であるので、各第１引き出し配線の長さの差が小さくなる。その結果、各第１引き出し配線の幅及び厚さが同じであれば、上記各第１引き出し配線の電気抵抗の差も小さくなる。これにより、画像表示の際には、電極（引き出し配線）の電気抵抗の差に起因する輝度むらの発生が抑止される。
【００１５】
従って、従来のように電極の引き回し配線の線幅を配線１本毎に設定したり、補正抵抗を挿入する必要がないので、従来よりも容易に電極の電気抵抗の差に起因する輝度むらの発生が抑止される。
【００１６】
本発明の表示装置は、上記第１電極、第２電極、第１引き出し配線及び第２引き出し配線が、それぞれ透明導電膜により構成されていてもよい。
【００１７】
ここで、透明導電膜は、一般的に配線材料として用いられる金属導電膜（例えば、アルミニウム膜）よりも高い電気抵抗を有する。そのため、透明導電膜により構成された第１引き出し配線及び第２引き出し配線を備えた表示装置では、各引き出し配線を金属導電膜により構成する場合よりも、各配線の長さによって波形なまりが起こって、輝度むらが発生し易いことになる。
【００１８】
しかしながら、上記の構成によれば、上記第１電極の端部から引き出されその末端に配設された第１端子部が上記基板の第１の辺の上記所定位置に配設され、上記第１電極の端部から引き出された第１引き出し配線が複数回折れ曲がった状態になっているので、上記各第１引き出し配線において配線の長さの差が小さくなる。その結果、上記各第１引き出し配線の幅及び厚さが同じであれば、上記各第１引き出し配線の電気抵抗の差も小さくなる。これにより、画像表示の際には、電極（引き出し配線）の電気抵抗の差に起因する輝度むらの発生が抑止される。
【００１９】
本発明の表示装置は、上記各第１引き出し配線が、直角に偶数回折れ曲がっていてもよい。
【００２０】
上記の構成によれば、直角に偶数回折れ曲がって形成された各第１引き出し配線は、規則的に配列することになる。そのため、上記各第１引き出し配線は、基板上の上記第１電極と第２電極とがマトリクス状に配設された表示領域以外の限られた領域を有効に用いて、配設されることになる。これにより、基板上の表示領域以外の限られた領域を有効に活用して、各第１引き出し配線の長さの差を小さくすることが可能になる。
【００２１】
本発明の表示装置は、上記第１電極の電気抵抗が、上記第２電極よりも低くてもよい。
【００２２】
上記の構成によれば、第２電極よりも電気抵抗の低い第１電極の端部から引き出された第１引き出し配線が折れ曲がった状態であるので、例えば、第２電極の端部から引き出された第２引き出し配線が折れ曲がった形成された場合よりも、電極の波形なまりによる輝度むらの発生が抑止される。
【００２３】
本発明の表示装置は、上記第１引き出し配線及び第２引き出し配線には、金属層が設けられていてもよい。
【００２４】
上記の構成によれば、透明導電膜により構成された第１引き出し配線及び第２引き出し配線に金属層が設けられているので、その部分の電気抵抗が小さくなる。また、上記第１引き出し配線及び第２引き出し配線の電気抵抗が小さくなるため、その配線の横断面積の縮小も可能になる。そのため、基板上の上記第１電極と第２電極とがマトリクス状に配設された表示領域以外の領域、つまり、非表示領域の面積を小さく設計することが可能となり、額縁領域の狭い表示装置が実現される。
【００２５】
本発明の表示装置は、上記第１端子部が、上記第１の辺と、上記第２の辺に隣接する第３の辺との双方に設けられ、上記第１引き出し配線が、上記第１電極の一方の端部から引き出されて、上記各第１端子部の何れか１つに接続されていてもよい。
【００２６】
上記の構成によれば、例えば、上記第１電極の端部から引き出されその末端に配設された第１端子部の半数が上記基板の第１の辺に、その第１端子部の残りの半数が上記基板の第３の辺に、それぞれ設けられた場合には、上記第１引き出し配線の半数が、上記第１電極の一方の端部から引き出され、上記第１引き出し配線の残りの半数が、上記第１電極の他方の端部から引き出されることになる。
【００２７】
そのため、上記基板の第２の辺とその第２の辺に最も近い位置にある第１電極との間に単位長さ当たり配置される第１引き出し配線の本数を減らすことが可能になる。その結果、上記基板の第２の辺とその第２の辺に最も近い位置にある第１電極との間の長さを短くして、基板上の上記第１電極と第２電極とがマトリクス状に配設された表示領域以外の領域、つまり、非表示領域の面積を小さく設計することが可能となり、額縁領域の狭い表示装置が実現される。
【００２８】
本発明の表示装置は、上記表示媒体層が無機エレクトロルミネッセンス層であってもよい。
【００２９】
上記の構成によれば、本発明の作用効果が具体的に奏されることとなる。つまり、表示媒体層が無機エレクトロルミネッセンス（ＥＬ）層である無機ＥＬ表示装置では、通常、パッシブマトリクス駆動方式がよく用いられ、引き出し配線の抵抗の差による輝度むらが発生する恐れがあるが、本発明では、上記第１電極の端部から引き出されその末端に配設された第１端子部が上記基板の第１の辺の上記所定位置に配設され、上記第１電極の端部から引き出された第１引き出し配線が複数回折れ曲がった状態であるので、各第１引き出し配線の長さの差が小さくなる。その結果、各第１引き出し配線の幅及び厚さが同じであれば、各第１引き出し配線の電気抵抗の差も小さくなる。これにより、画像表示の際には、各引き出し配線の電気抵抗の差に起因する輝度むらの発生が抑止される。
【００３０】
特に、上記第１電極及び第２電極が透明導電膜により構成された無機ＥＬ表示装置の場合には、基板上の上記第１電極と第２電極とがマトリクス状に配設された表示領域が透明（シースルー）となり、その透明な表示領域に画像が発光表示される。
【発明の効果】
【００３１】
本発明の表示装置は、第１電極の端部から引き出されその末端に配設された第１端子部が基板の第１辺の所定位置に配設され、第１電極の端部から引き出された第１引き出し配線が複数回折れ曲がった状態であるので、各第１引き出し配線の長さが小さくなるので、各第１引き出し配線の幅及び厚さが同じであれば、各第１引き出し配線の電気抵抗の差も小さくなる。これにより、画像表示の際には、電極（引き出し配線）の電気抵抗の差に起因する輝度むらの発生を抑止することができる。
【発明を実施するための最良の形態】
【００３２】
以下、本発明の実施形態を図面に基づいて詳細に説明する。以下の実施形態では、表示素子として、パッシブマトリクス駆動方式の無機ＥＬ表示装置を例に説明する。なお、本発明は以下の実施形態に限定されるものではない。
【００３３】
《発明の実施形態１》
以下、本発明の実施形態１に係る無機ＥＬ表示装置１０ａを図面に基づいて詳細に説明する。
【００３４】
図１は、無機ＥＬ表示装置１０ａの平面模式図であり、図２は、図１中のＡ−Ａ’断面における無機ＥＬ表示装置１０ａの断面模式図である。
【００３５】
この無機ＥＬ表示装置１０ａは、絶縁基板１上に、第２絶縁層３、無機ＥＬ層４及び第１絶縁層５が順に積層された構成となっている。
【００３６】
絶縁基板１と第２絶縁層３との層間には、絶縁基板１の左辺（第１の辺）に沿って、互いに平行に並んで配置された複数の第２電極２が設けられている。
【００３７】
第１絶縁層５の上層には、絶縁基板１の下辺（第２の辺）に沿って、互いに平行に並んで配置された複数の第１電極６が設けられている。
【００３８】
ここで、第１電極６及び第２電極２がマトリクス状に配置された領域は、表示領域を構成している。
【００３９】
第２電極２は、絶縁基板１の下辺の方向に第２引き出し配線２ａとして引き出され、その末端が、絶縁基板１の下辺に沿って配設された第２端子部２ｂとなっている。
【００４０】
第１電極６は、絶縁基板１の左辺の方向に第１引き出し配線６ａとして引き出され、その末端が、絶縁基板１の左辺に沿って配設され、且つ、絶縁基板１の下辺と、複数の第１電極６のうち絶縁基板１の下辺に対して最も近い位置に設けられている第１電極６（その第１電極６に沿って延びる図中の基準線Ｌ）との間に規定された領域に配設された第１端子部６ｂとなっている。
【００４１】
第１端子部６ｂ及び第２端子部２ｂには、それぞれ走査側電位供給用ＩＣ８及びデータ側電位供給用ＩＣ７が接続されている。
【００４２】
無機ＥＬ層４は、電界の発生によって発光する発光層材料により構成されている。
【００４３】
ここで、第１引き出し配線６ａは、直角に２回折れ曲がった状態で、第１電極６と第１端子部６ｂとを接続している。
【００４４】
そして、例えば、第１引き出し配線が第１電極の端部から引き出され、１回折れ曲がった状態で絶縁基板の下辺に沿って配設された第１端子部に接続された場合には、その１回折れ曲がった各第１引き出し配線は、絶縁基板の左辺に近づくにつれて、徐々に長くなってしまう。
【００４５】
本発明では、第１電極６の端部から引き出されその末端に配設された第１端子部６ｂが絶縁基板１の左辺の上記所定位置に配設され、第１電極６の端部から引き出された第１引き出し配線６ｂが直角に２回折れ曲がった状態であるので、各第１引き出し配線６ｂの長さの差が小さくなる。その結果、各第１引き出し配線６ｂの幅及び厚さが同じであれば、各第１引き出し配線６ｂの電気抵抗の差も小さくなる。しかも、各第１引き出し配線６ａは、直角に２回折れ曲がっているので、規則的に配列しており、絶縁基板１上の上記表示領域以外の限られた領域を有効に用いて、配設されることになる。これにより、絶縁基板１上の表示領域以外の限られた領域を有効に活用して、各第１引き出し配線６ａの長さの差を小さくすることができる。
【００４６】
また、本実施形態では、直角に２回折れ曲がった状態の第１引き出し配線６ａを例示したが、第１引き出し配線６ａの直角に折れ曲がる回数は、上記２回を始め、偶数回であればよい。さらに、第１引き出し配線６ａは、直角に偶数回（２回）折れ曲がった状態だけでなく、第１端子部６ｂが絶縁基板１の左辺の上記所定の位置（基準線Ｌより下の領域）に配設され、各第１引き出し配線６ａの長さの差が小さくなるように構成されていれば、所要の角度で複数回折れ曲がっていてもよい。
【００４７】
この無機ＥＬ表示装置１０ａは、第１電極６及び第２電極２の交点毎に画像の最小単位である画素が構成されており、画像表示の際には、データ側電位供給用ＩＣ７から、第２端子部２ｂ及び第２引き出し配線２ａを介して、選択された第２電極２に共通電位が供給されると共に、走査側電位供給用ＩＣ８から、第１端子部６ｂ及び第１引き出し配線６ａを介して、選択された第１電極６にパルス信号電位（表示信号）が供給されるように構成されている。これによって、選択された第１電極６及び第２電極２の交点の画素に対応する無機ＥＬ層４では電圧が印加され、その無機ＥＬ層４が蛍光を発することにより、画像が表示される。
【００４８】
次に、本発明の実施形態１に係る無機ＥＬ表示装置１０ａの製造方法について説明する。
【００４９】
まず、ガラス基板等の絶縁基板１上の基板全体に、スパッタリング法により、ＩＴＯ（Indium Tin Oxide）膜からなる透明導電膜を膜厚２００ｎｍ程度になるように成膜し、その後、フォトリソグラフィー技術（Photo Engraving Process、以下、「ＰＥＰ技術」と称する）によりパターン形成して、第２電極２、第２引き出し配線２ａ及び第２端子部２ｂを形成する。
【００５０】
次いで、第２電極２、第２引き出し配線２ａ及び第２端子部２ｂが形成された基板全体に、スパッタリング法により窒化シリコン（Ｓｉ3Ｎ4）膜、酸化シリコン（ＳｉＯ2）膜等を膜厚２００〜３００ｎｍになるように成膜し、第２絶縁膜を形成する。
【００５１】
次いで、第２絶縁膜が形成された基板全体に、スパッタリング法により、共付活剤としてマンガンが添加された硫化亜鉛（ＺｎＳ：Ｍｎ）膜を膜厚５００〜１０００ｎｍになるように無機ＥＬ膜を形成する。無機ＥＬ膜としては、黄橙色を呈する上記ＺｎＳ：Ｍｎの他に、青緑色を呈するＳｒＳ：Ｃｅ、青色を呈するＢａＡｌ2Ｓ4：Ｅｕ等が用いることができる。
【００５２】
次いで、無機ＥＬ膜が形成された基板全体に、スパッタリング法により、窒化シリコン（Ｓｉ3Ｎ4）膜、酸化シリコン（ＳｉＯ2）膜等を膜厚１５０〜２５０ｎｍになるように成膜し、第１絶縁膜を形成する。なお、第１絶縁膜及び第２絶縁膜は、絶縁性（電気抵抗：１０8Ω以上、比誘電率：４以上）を有するものであれば、他の絶縁性材料であってもよい。
【００５３】
次いで、ＰＥＰ技術によりパターン形成して、第２絶縁層３、無機ＥＬ層４及び第１絶縁層５を形成する。
【００５４】
次いで、第２絶縁層３、無機ＥＬ層４及び第１絶縁層５が形成された基板全体に、スパッタリング法により、ＩＴＯ膜からなる透明導電膜を膜厚３００〜８００ｎｍになるように成膜し、その後、ＰＥＰ技術によりパターン形成して、第１電極６、第１引き出し配線６ａ及び第１端子部６ｂを形成する。
【００５５】
ここで、第１電極６、第１引き出し配線６ａ及び第１端子部６ｂは、膜厚３００〜８００ｎｍであり、一方、第２電極２、第２引き出し配線２ａ及び第２端子部２ｂは、膜厚２００ｎｍ程度であるので、配線の線幅が同じである場合には、第２電極２よりも電気抵抗の低い第１電極６の端部から引き出された第１引き出し配線６ａが折れ曲がっていることになる。そのため、第１引き出し配線６ａが折れ曲がって形成された場合は、例えば、第２電極の端部から引き出された第２引き出し配線が折れ曲がった形成された場合よりも、電極（引き出し配線）の波形なまりによる輝度むらの発生を抑止することができる。
【００５６】
次いで、第１端子部６ｂ及び第２端子部２ｂに、走査側電位供給用ＩＣ８及びデータ側電位供給用ＩＣ７をそれぞれ実装する。
【００５７】
以上のようにして、本発明の無機ＥＬ表示装置１０ａが製造される。
【００５８】
本発明の無機ＥＬ表示装置１０ａは、第１電極６の端部から引き出されその末端に配設された第１端子部６ｂが絶縁基板１の左辺の所定位置に配設され、第１電極６の端部から引き出された第１引き出し配線６ｂが直角に２回折れ曲がった状態であるので、絶縁基板１上の表示領域以外の限られた領域を有効に活用して、各第１引き出し配線６ａの長さの差が小さくなる。その結果、各第１引き出し配線６ａの幅及び厚さが同じであれば、各第１引き出し配線６ａの電気抵抗の差も小さくなる。これにより、画像表示の際には、電極の電気抵抗の差に起因する輝度むらの発生を抑止することができる。
【００５９】
従って、従来のように電極の引き回し配線の線幅を配線１本毎に設定したり、補正抵抗を挿入する必要がないので、従来よりも容易に電極の電気抵抗の差に起因する輝度むらの発生が抑止される。
【００６０】
また、無機ＥＬ表示装置１０ａでは、第１電極６、第２電極２、第１引き出し配線６ａ及び第２引き出し配線２ａが、一般的に配線材料として用いられる金属導電膜（例えば、アルミニウム膜）よりも高い電気抵抗（図５参照）を有するＩＴＯにより構成されているので、例えば、引き出し配線が金属導電膜により構成された場合よりも、その引き出す長さによってパルス波形なまりが起こって、具体的には、走査側（第１電極６）に供給されるパルス信号の波形なまりが大きくなり十分な電位差が供給できずに、輝度むらが発生し易いはずである。
【００６１】
ここで、図５は、アルミニウム膜及びＩＴＯ膜により形成された配線における配線の長さと電気抵抗との関係を示すグラフである。
【００６２】
しかしながら、ＥＬ表示装置１０ａでは、第１電極６の端部から引き出されその末端に配設された第１端子部６ｂが絶縁基板１の左辺の所定位置に配設され、第１電極６の端部から引き出された第１引き出し配線６ｂが直角に２回折れ曲がった状態であるので、各第１引き出し配線６ａにおいて引き出す長さの差が小さくなる。その結果、各第１引き出し配線６ａの幅及び厚さが同じであれば、各第１引き出し配線６ａの電気抵抗の差も小さくなる。これにより、ＥＬ表示装置１０は、画像表示の際には、電極の電気抵抗の差に起因する輝度むらの発生を抑止することができる。
【００６３】
《発明の実施形態２》
以下、本発明の実施形態２に係る無機ＥＬ表示装置１０ｂを図面に基づいて詳細に説明する。
【００６４】
図３は、無機ＥＬ表示装置１０ｂの平面模式図である。
【００６５】
この無機ＥＬ表示装置１０ｂについては、その断面構造が、実施形態１で説明した無機ＥＬ表示装置１０ａと実質的に同じであるので、その平面構造において無機ＥＬ表示装置１０ａとの相違点を中心に説明する。
【００６６】
第１電極６のうち図中の上から奇数番目の電極は、絶縁基板１の左辺（第１の辺）の方向に第１引き出し配線６ａ’として引き出され、その末端が、絶縁基板１の左辺に沿って配設され、且つ、絶縁基板１の下辺（第２の辺）と、複数の第１電極のうち絶縁基板１の下辺に対して最も近い位置にある第１電極６（その第１電極６に沿って延びる図中の基準線Ｌ）との間に規定された領域に配設された第１端子部６ｂ’となっている。
【００６７】
また、第１電極６のうち図中の上から偶数番目の電極は、絶縁基板１の右辺（第３の辺）の方向に第１引き出し配線６ａ’として引き出され、その末端が、絶縁基板１の右辺に沿って配設され、且つ、絶縁基板１の下辺と、複数の第１電極のうち絶縁基板１の下辺に対して最も近い位置にある第１電極６（その第１電極６に沿って延びる図中の基準線Ｌ）との間に規定された領域に配設された第１端子部６ｂ’となっている。
【００６８】
そして、各第１端子部６ｂ’には、走査側電位供給用ＩＣ８が接続されている。
【００６９】
上記のように、第１電極６に接続された半数の第１端子部６ｂ’が、絶縁基板１の左辺に、その残りの半数の第１端子部６ｂ’が、絶縁基板１の右辺にそれぞれ設けられているので、第１電極６と第１端子部６ｂ’とを接続する第１引き出し配線６ａ’が左右に分かれることになる。そのため、絶縁基板１の下辺とその下辺に最も近い位置にある第１電極６との間に単位長さ当たり配置される第１引き出し配線６ａの本数を減らすことが可能になる。その結果、上記基板の第２の辺とその第２の辺に最も近い位置にある第１電極との間の長さを短くすることができる。これにより、絶縁基板１上の表示領域以外の領域、つまり、非表示領域の面積を小さく設計することが可能となり、額縁領域の狭い表示装置を実現することが可能になるという効果が実施形態１の効果に付加される。
【００７０】
《その他の実施形態》
本発明は、上記実施形態１について、図４に示すような構成としてもよい。
【００７１】
図４は、実施形態１で説明した無機ＥＬ表示装置１０ａを変形した無機ＥＬ表示装置１０ｃの平面模式図である。
【００７２】
この無機ＥＬ表示装置１０ｃを構成する第１電極６’は、無機ＥＬ表示装置１０ａの各第１電極６がその中央部分で左右に分断された形状であり、その外側端部から絶縁基板１の左辺及び右辺の方向にそれぞれ第１引き出し配線６ａ’’として引き出され、それぞれの末端が絶縁基板１の第１の辺（左辺）及び第３の辺（右辺）に沿って配設された第１端子部６ｂ’’となっている。
【００７３】
また、上記無機ＥＬ表示装置１０ａ、１０ｂ及び１０ｃにおいて、第１引き出し配線及び第２引き出し配線並びに第１端子部及び第２端子部に金属層を設けてもよい。例えば、各無機ＥＬ表示装置１０ａ、１０ｂ及び１０ｃの基準線Ｌから下の領域を、ニッケル等のメッキ浴に浸ける等により、容易にＩＴＯ層上に選択的にニッケル層を形成することができる。
【００７４】
これにより、ＩＴＯ膜により構成された第１引き出し配線及び第２引き出し配線に金属層（ニッケル層）が設けられているので、その部分の電気抵抗が小さくなる。また、第１引き出し配線及び第２引き出し配線の電気抵抗が小さくなるため、その配線の横断面積の縮小も可能になる。そのため、絶縁基板１上の非表示領域の面積を小さく設計することが可能となり、額縁領域の狭い表示装置を実現することができる。
【００７５】
さらに、上記実施形態では、第１電極及び第２電極とも透明導電膜により形成された無機ＥＬ表示装置を例示して本発明を説明したが、第１電極及び第２電極の一方を透明導電膜により形成した構成であってもよい。また、本発明は、パッシブマトリクス駆動方式の有機ＥＬ表示装置、液晶表示装置等にも好適に用いることができる。
【産業上の利用可能性】
【００７６】
以上説明したように、本発明は、電極の電気抵抗の差に起因する輝度むらの発生が抑止されているので、第１電極及び第２電極とも透明導電膜により形成され、表示領域が透明（シースルー）な無機ＥＬ表示装置について有用である。
【図面の簡単な説明】
【００７７】
【図１】本発明の実施形態１に係る無機ＥＬ表示装置１０ａの平面模式図である。
【図２】図１中のＡ−Ａ’断面における無機ＥＬ表示装置１０ａの断面模式図である。
【図３】本発明の実施形態２に係る無機ＥＬ表示装置１０ｂの平面模式図である。
【図４】本発明のその他の実施形態に係る無機ＥＬ表示装置１０ｃの平面模式図である。
【図５】アルミニウム膜及びＩＴＯ膜により形成された配線における配線の長さと電気抵抗との関係を示すグラフである。
【符号の説明】
【００７８】
１    絶縁基板
２    第２電極
２ａ，２ａ’，２ａ’’  第２引き出し配線
２ｂ，２ｂ’，２ｂ’’  第２端子部
３    第２絶縁膜
４    無機ＥＬ層
５    第１絶縁膜
６，６’  第１電極
６ａ，６ａ’，６ａ’’  第１引き出し配線
６ｂ，６ｂ’，６ｂ’’  第１端子部
７    データ側電位供給用ＩＣ
８    走査側電位供給用ＩＣ
１０ａ，１０ｂ，１０ｃ  無機ＥＬ表示装置
【図１】
2005309193.tif 000003
【図２】
2005309193.tif 000004
【図３】
2005309193.tif 000005
【図４】
2005309193.tif 000006
【図５】
2005309193.tif 000007